(57)【要約】【課題】市場におけるウェアラブルデバイスの普及を制限するフォームファクタを有しない帽子、システム及びプログラムを提供する。【解決手段】本明細書に記載された例示的な実施形態は、着用者にフィードバックを提供する発光ダイオードを備え、加速度計を介して、又は帽子上のタッチイベントを介してジェスチャ入力を受信するように構成されたスマートハットである。スマートハットは、外部装置に無線接続され、帽子と外部装置との間で無線でメッセージ（たとえば、コマンド）を送受信することによって装置を制御するように構成されてもよい。さらに、スマートハットのネットワークは、所望の実施形態に応じて外部デバイスによって管理されてもよい。【選択図】図１
2020057371.tif 000002
【特許請求の範囲】
【請求項１】
つばの底部の少なくとも一部を照らすように向けられた１組のエレクトロルミネセンス素子を前記つばの下側に配置した前記つば、
無線ネットワークインターフェース、及び
前記無線ネットワークインターフェースを介するメッセージの受信に対して、前記メッセージに基づいて対応する色、明るさ、又はパターンのうちの少なくとも１つに従って照らすように前記１組のエレクトロルミネセンス素子を制御するマイクロコントローラ
を備える帽子。
【請求項２】
運動を測定するように構成されたセンサをさらに備え、
前記マイクロコントローラが、
前記帽子に向けられたコマンドとしての前記センサの前記運動の測定値からのジェスチャの認識に対して、前記ジェスチャに基づいて対応する色、明るさ、又はパターンのうちの少なくとも１つをオンにするように前記１組のエレクトロルミネセンス素子を制御し、
外部デバイスに向けられたコマンドとしての前記センサの前記運動の測定値からのジェスチャの認識に対して、前記無線ネットワークインターフェースを介して前記外部デバイスにメッセージを送信する
ように設定されている、請求項１に記載の帽子。
【請求項３】
タッチイベントを記録するように構成された、前記帽子のクラウンの一部の上のタッチセンサをさらに備え、
前記マイクロコントローラが、
外部デバイスに向けられたコマンドとしての前記タッチイベントの分類に対して、前記無線ネットワークインターフェースを介して前記外部デバイスにメッセージを送信し、
外部デバイスに向けられたコマンドとしての前記タッチイベントの分類に対して、ジェスチャに基づいて対応する色、明るさ、又はパターンのうちの少なくとも１つをオンにするように前記１組のエレクトロルミネセンス素子を制御する
ように設定されている、請求項１に記載の帽子。
【請求項４】
前記タッチセンサが導電性材料から作られ、前記導電性材料が前記帽子の前記クラウンの前記一部に取り付けられている、請求項３に記載の帽子。
【請求項５】
前記導電性材料が、前記帽子の前記クラウンの前記一部に織り込まれるか、接着されるか、機械的に固定されるか、又は接合されることによって取り付けられている、請求項４に記載の帽子。
【請求項６】
前記タッチセンサが、格子状に組み合わされた複数の水平ストリップ及び垂直ストリップとして前記帽子の前記クラウンの前記一部に織り込まれ、
前記マイクロコントローラが、
前記複数の水平ストリップ及び前記複数の垂直ストリップのうちの少なくとも１つからの応答に基づいて前記タッチイベントの位置を検出し、
前記応答に基づいて前記ジェスチャを認識する
ように設定されている、請求項３に記載の帽子。
【請求項７】
前記つばが、前記帽子の前に光を投射するように向けられた別の１組のエレクトロルミネセンス素子をさらに備え、
前記マイクロコントローラが、
前記別の１組のエレクトロルミネセンス素子に対応する前記無線ネットワークインターフェースを介する前記メッセージの受信に対して、前記別の１組のエレクトロルミネセンス素子に対応する前記メッセージに基づいて、前記対応する色、前記明るさ、又は前記パターンのうちの少なくとも１つに従って照らすように前記１組のエレクトロルミネセンス素子を制御する、請求項１に記載の帽子。
【請求項８】
前記帽子のクラウンの上部に配置されたボタンをさらに備え、前記ボタンが導電性布を備え、前記マイクロコントローラが、前記ボタンで行われたタップ又はプレスのタッチイベントを検出するように設定されている、請求項１に記載の帽子。
【請求項９】
帽子のクラウンの一部の頂部に配置された別の１組のエレクトロルミネセンス素子をさらに備え、前記マイクロコントローラが、コマンドに基づいて対応する色、明るさ、又はパターンのうちの少なくとも１つに従って照らすように前記別の１組のエレクトロルミネセンス素子を制御する、請求項１に記載の帽子。
【請求項１０】
前記メッセージが、前記無線ネットワークインターフェースによって前記帽子に接続された外部デバイスから受信され、前記マイクロコントローラが、前記帽子で行われたタッチイベント又は運動を測定するように構成されたセンサによって検出された頭のジェスチャに基づいて、前記無線ネットワークインターフェースによって前記外部デバイスにメッセージを送信するように設定されている、請求項１に記載の帽子。
【請求項１１】
前記マイクロコントローラが、前記マイクロコントローラによって検出されたジェスチャ又はタッチイベントの受信に対して、前記１組のエレクトロルミネセンス素子をオフにするように制御する、請求項１に記載の帽子。
【請求項１２】
装置、及び
前記装置に無線接続された帽子
を備える、システムであって、前記帽子が、
つばの底部の少なくとも一部を照らすように向けられた１組のエレクトロルミネセンス素子を前記つばの下側に配置した前記つば、
前記装置に前記帽子を接続するように構成された無線ネットワークインターフェース、及び
前記装置からの前記無線ネットワークインターフェースを介するメッセージの受信に対して、前記メッセージに基づいて対応する色、明るさ、又はパターンのうちの少なくとも１つに従って照らすように前記１組のエレクトロルミネセンス素子を制御するマイクロコントローラ
を備えるシステム。
【請求項１３】
前記帽子が運動を測定するように構成されたセンサをさらに備え、
前記マイクロコントローラが、
前記センサの前記運動の測定値からのジェスチャの認識に対して、前記ジェスチャに基づいて対応する色、明るさ、又はパターンのうちの少なくとも１つをオンにするように前記１組のエレクトロルミネセンス素子を制御し、
前記装置へのメッセージ送信に関連付けられた前記ジェスチャに対して、前記ジェスチャに基づいて前記装置にメッセージを送信する
ように設定されている、請求項１２に記載のシステム。
【請求項１４】
前記帽子が、タッチイベントを記録するように構成された、前記帽子のクラウンの一部に織り込まれた導電性布をさらに備え、
前記マイクロコントローラが、
前記装置に向けられたコマンドとしての前記タッチイベントの分類に対して、前記無線ネットワークインターフェースを介して前記装置にメッセージを送信し、
前記帽子に向けられたコマンドとしての前記タッチイベントの分類に対して、ジェスチャに基づいて対応する色、明るさ、又はパターンのうちの少なくとも１つをオンにするように前記１組のエレクトロルミネセンス素子を制御する
ように設定されており、
前記装置が、前記帽子から送信された前記メッセージに応答して前記コマンドを実行する、
請求項１２に記載のシステム。
【請求項１５】
前記導電性布が、格子状に組み合わされた複数の水平ストリップ及び垂直ストリップとして前記帽子の前記クラウンの前記一部に織り込まれ、
前記マイクロコントローラが、
前記複数の水平ストリップ及び前記複数の垂直ストリップのうちの少なくとも１つからの応答に基づいて前記タッチイベントの位置を検出し、
前記応答に基づいて前記ジェスチャを認識する
ように設定されている、請求項１４に記載のシステム。
【請求項１６】
前記つばが、前記帽子の前に光を投射するように向けられた別の１組のエレクトロルミネセンス素子をさらに備え、
前記マイクロコントローラが、
前記別の１組のエレクトロルミネセンス素子に対応する前記装置からの前記無線ネットワークインターフェースを介する前記メッセージの受信に対して、前記別の１組のエレクトロルミネセンス素子に対応する前記メッセージに基づいて、前記対応する色、前記明るさ、又は前記パターンのうちの少なくとも１つに従って照らすように前記１組のエレクトロルミネセンス素子を制御する、請求項１２に記載のシステム。
【請求項１７】
前記帽子が前記帽子のクラウンの上部に配置されたボタンをさらに備え、前記ボタンが導電性布を備え、前記マイクロコントローラが、前記ボタンで行われたタップ又はプレスのタッチイベントを検出するように設定されている、請求項１２に記載のシステム。
【請求項１８】
前記帽子が帽子のクラウンの一部の頂部に配置された別の１組のエレクトロルミネセンス素子をさらに備え、前記マイクロコントローラが、コマンドに基づいて対応する色、明るさ、又はパターンのうちの少なくとも１つに従って照らすように前記別の１組のエレクトロルミネセンス素子を制御する、請求項１２に記載のシステム。
【請求項１９】
前記マイクロコントローラが、前記帽子で行われたタッチイベント又は運動を測定するように構成されたセンサによって検出された頭のジェスチャに基づいて、前記無線ネットワークインターフェースによって前記装置にメッセージを送信するように設定されており、前記装置が外部デバイスである、請求項１２に記載のシステム。
【請求項２０】
前記マイクロコントローラが、前記マイクロコントローラによって検出されたジェスチャ又はタッチイベントの受信に対して、前記１組のエレクトロルミネセンス素子をオフにするように制御する、請求項１２に記載のシステム。
【請求項２１】
装置、及び
前記装置に無線接続された複数の帽子
を備える、システムであって、前記複数の帽子の各々が、
つばの底部の少なくとも一部を照らすように向けられた１組のエレクトロルミネセンス素子を前記つばの下側に配置した前記つば、
前記装置に前記帽子を接続するように構成された無線ネットワークインターフェース、及び
前記装置からの前記無線ネットワークインターフェースを介するメッセージの受信に対して、前記メッセージに基づいて対応する色、明るさ、又はパターンのうちの少なくとも１つに従って照らすように前記１組のエレクトロルミネセンス素子を制御するマイクロコントローラ
を備えるシステム。
【請求項２２】
コンピュータに、
帽子に備えられた無線ネットワークインターフェースを介してメッセージを受信する手順と、
前記帽子のつばの下側に配置され、前記つばの底部の少なくとも一部を照らすように向けられた１組のエレクトロルミネセンス素子を、前記メッセージに基づいて対応する色、明るさ、又はパターンのうちの少なくとも１つに従って照らすように制御する手順と、
を実行させるためのプログラム。
【発明の詳細な説明】
【技術分野】
【０００１】
本開示は、一般に、ウェアラブルデバイスに関し、より詳細には、リモートデバイス及びディスプレイと対話するように構成された帽子、システム及びプログラムに関する。
【背景技術】
【０００２】
ユーザのジェスチャを検出し、対話型フィードバックを提供することが可能なウェアラブルデバイスが従来技術において開発されてきた。しかしながら、多くのヘッドマウントデバイス（たとえば、眼鏡、より大きな拡張現実（ＡＲ）及び仮想現実（ＶＲ）のヘッドセット及びデバイス）は、市場におけるそれらの普及を制限するフォームファクタ（ｆｏｒｍ  ｆａｃｔｏｒ）を有する。
【先行技術文献】
【特許文献】
【０００３】
【特許文献１】米国特許第８００８５６４号公報
【特許文献２】米国特許第７５９８９２８号公報
【特許文献３】米国特許第６９３５７６１号公報
【特許文献４】米国特許第６７２１９６２号公報
【特許文献５】米国特許第Ｄ８１１０５６号公報
【特許文献６】米国特許第Ｄ７６４７７１号公報
【特許文献７】米国特許第Ｄ７５４４２２号公報
【特許文献８】米国特許第Ｄ７５１７９５号公報
【特許文献９】米国特許第Ｄ６０３５８５号公報
【特許文献１０】米国出願公開第２０１００３１３３３４号公報
【非特許文献】
【０００４】
【非特許文献１】PROFITA, H.P., et al., Lightwear: An Exploration in Wearable Light Therapy, In Proceedings of the Ninth International Conference on Tangible, Embedded, and Embodied Interaction, TEI '15, January 15-19, 2015, Stanford, California, 321-328 pgs.
【非特許文献２】SmartCap Technologies, 2018, [online] 7 pgs. URL: http://www.smartcaptech.com/
【非特許文献３】ZEROi:Smart Hat with Bone Conduction Technology, 2017, [online] 30 pgs. URL: https://www.kickstarter.com/projects/781010162/cap-on-sound-on
【非特許文献４】DIERK, C., et al., AlterWear: Battery-Free Wearable Displays for Opportunistic Interactions, In Proceedings of the 2018 CHI Conference on Human Factors in Computing Systems, April 21-26, 2018, Montreal, QC, Canada, pp.220:1-220:11.
【非特許文献５】LUMAHELM - An Interactive Helmet, URL: https://www.youtube.com/watch?v=BruSCEzv4uQ - 2013
【発明の概要】
【発明が解決しようとする課題】
【０００５】
本開示の技術は、リモートデバイス及びディスプレイと対話するための帽子、システム及びプログラムを提供することを目的とする。日常的なウェアラブルを増強すると、従来技術における普及の問題に対処することができる。本明細書に記載された例示的な実施形態では、ディスプレイ、モバイルデバイス、及びスマートアプライアンスを含む対話型システム用のワイヤレス（無線）リモートコントローラとして使用することができる、帽子の形態のウェアラブルデバイスを提供する。デバイスはさらに、着用者と協力者の両方の周辺に情報を伝達することができる。
【課題を解決するための手段】
【０００６】
本開示の態様は帽子を含んでもよく、帽子は、つばの底部の少なくとも一部を照らすように向けられた１組のエレクトロルミネセンス素子（例えば発光ダイオード（ＬＥＤ））をつばの下側に配置したつば、無線ネットワークインターフェース、及び無線ネットワークインターフェースを介するメッセージの受信に対して、メッセージに基づいて対応する色、明るさ、又はパターンのうちの少なくとも１つに従って照らすように１組のエレクトロルミネセンス素子（例えばＬＥＤ）を制御するマイクロコントローラを含む。
【０００７】
上記の帽子は、運動を測定するように構成されたセンサをさらに備え、マイクロコントローラが、帽子に向けられたコマンドとしてのセンサの運動の測定値からのジェスチャの認識に対して、ジェスチャに基づいて対応する色、明るさ、又はパターンのうちの少なくとも１つをオンにするように１組のエレクトロルミネセンス素子を制御し、外部デバイスに向けられたコマンドとしてのセンサの運動の測定値からのジェスチャの認識に対して、無線ネットワークインターフェースを介して外部デバイスにメッセージを送信するように設定されている。
【０００８】
上記の帽子は、タッチイベントを記録するように構成された、帽子のクラウンの一部の上のタッチセンサをさらに備え、マイクロコントローラが、外部デバイスに向けられたコマンドとしてのタッチイベントの分類に対して、無線ネットワークインターフェースを介して外部デバイスにメッセージを送信し、外部デバイスに向けられたコマンドとしてのタッチイベントの分類に対して、ジェスチャに基づいて対応する色、明るさ、又はパターンのうちの少なくとも１つをオンにするように１組のエレクトロルミネセンス素子を制御するように設定されている。
【０００９】
上記の帽子は、タッチセンサが導電性材料から作られ、導電性材料が帽子のクラウンの一部に取り付けられている。
【００１０】
上記の帽子は、導電性材料が、帽子のクラウンの一部に織り込まれるか、接着されるか、機械的に固定されるか、又は接合されることによって取り付けられている。
【００１１】
上記の帽子は、タッチセンサが、格子状に組み合わされた複数の水平ストリップ及び垂直ストリップとして帽子のクラウンの一部に織り込まれ、マイクロコントローラが、複数の水平ストリップ及び複数の垂直ストリップのうちの少なくとも１つからの応答に基づいてタッチイベントの位置を検出し、応答に基づいてジェスチャを認識するように設定されている。
【００１２】
上記の帽子は、つばが、帽子の前に光を投射するように向けられた別の１組のエレクトロルミネセンス素子をさらに備え、マイクロコントローラが、別の１組のエレクトロルミネセンス素子に対応する無線ネットワークインターフェースを介するメッセージの受信に対して、別の１組のエレクトロルミネセンス素子に対応するメッセージに基づいて、対応する色、明るさ、又はパターンのうちの少なくとも１つに従って照らすように１組のエレクトロルミネセンス素子を制御する。
【００１３】
上記の帽子は、帽子のクラウンの上部に配置されたボタンをさらに備え、ボタンが導電性布を備え、マイクロコントローラが、ボタンで行われたタップ又はプレスのタッチイベントを検出するように設定されている。
【００１４】
上記の帽子は、帽子のクラウンの一部の頂部に配置された別の１組のエレクトロルミネセンス素子をさらに備え、マイクロコントローラが、コマンドに基づいて対応する色、明るさ、又はパターンのうちの少なくとも１つに従って照らすように別の１組のエレクトロルミネセンス素子を制御する。
【００１５】
上記の帽子は、メッセージが、無線ネットワークインターフェースによって帽子に接続された外部デバイスから受信され、マイクロコントローラが、帽子で行われたタッチイベント又は運動を測定するように構成されたセンサによって検出された頭のジェスチャに基づいて、無線ネットワークインターフェースによって外部デバイスにメッセージを送信するように設定されている。
【００１６】
上記の帽子は、マイクロコントローラが、マイクロコントローラによって検出されたジェスチャ又はタッチイベントの受信に対して、１組のエレクトロルミネセンス素子をオフにするように制御する。
【００１７】
本開示の態様は、装置及び装置に無線接続された帽子を含むシステムをさらに含んでもよく、帽子は、つばの底部の少なくとも一部を照らすように向けられた１組のエレクトロルミネセンス素子（例えば発光ダイオード（ＬＥＤ））をつばの下側に配置したつば、装置に帽子を接続するように構成された無線ネットワークインターフェース、及び装置からの無線ネットワークインターフェースを介するメッセージの受信に対して、メッセージに基づいて対応する色、明るさ、又はパターンのうちの少なくとも１つに従って照らすように１組のエレクトロルミネセンス素子（例えばＬＥＤ）を制御するマイクロコントローラを含む。
【００１８】
上記のシステムは、帽子が運動を測定するように構成されたセンサをさらに備え、マイクロコントローラが、センサの運動の測定値からのジェスチャの認識に対して、ジェスチャに基づいて対応する色、明るさ、又はパターンのうちの少なくとも１つをオンにするように１組のエレクトロルミネセンス素子を制御し、装置へのメッセージ送信に関連付けられたジェスチャに対して、ジェスチャに基づいて装置にメッセージを送信するように設定されている。
【００１９】
上記のシステムは、帽子が、タッチイベントを記録するように構成された、帽子のクラウンの一部に織り込まれた導電性布をさらに備え、マイクロコントローラが、装置に向けられたコマンドとしてのタッチイベントの分類に対して、無線ネットワークインターフェースを介して装置にメッセージを送信し、帽子に向けられたコマンドとしてのタッチイベントの分類に対して、ジェスチャに基づいて対応する色、明るさ、又はパターンのうちの少なくとも１つをオンにするように１組のエレクトロルミネセンス素子を制御するように設定されており、装置が、帽子から送信されたメッセージに応答してコマンドを実行する。
【００２０】
上記のシステムは、導電性布が、格子状に組み合わされた複数の水平ストリップ及び垂直ストリップとして帽子のクラウンの一部に織り込まれ、マイクロコントローラが、複数の水平ストリップ及び複数の垂直ストリップのうちの少なくとも１つからの応答に基づいてタッチイベントの位置を検出し、応答に基づいてジェスチャを認識するように設定されている。
【００２１】
上記のシステムは、つばが、帽子の前に光を投射するように向けられた別の１組のエレクトロルミネセンス素子をさらに備え、マイクロコントローラが、別の１組のエレクトロルミネセンス素子に対応する装置からの無線ネットワークインターフェースを介するメッセージの受信に対して、別の１組のエレクトロルミネセンス素子に対応するメッセージに基づいて、対応する色、明るさ、又はパターンのうちの少なくとも１つに従って照らすように１組のエレクトロルミネセンス素子を制御する。
【００２２】
上記のシステムは、帽子が帽子のクラウンの上部に配置されたボタンをさらに備え、ボタンが導電性布を備え、マイクロコントローラが、ボタンで行われたタップ又はプレスのタッチイベントを検出するように設定されている。
【００２３】
上記のシステムは、帽子が帽子のクラウンの一部の頂部に配置された別の１組のエレクトロルミネセンス素子をさらに備え、マイクロコントローラが、コマンドに基づいて対応する色、明るさ、又はパターンのうちの少なくとも１つに従って照らすように別の１組のエレクトロルミネセンス素子を制御する。
【００２４】
上記のシステムは、マイクロコントローラが、帽子で行われたタッチイベント又は運動を測定するように構成されたセンサによって検出された頭のジェスチャに基づいて、無線ネットワークインターフェースによって装置にメッセージを送信するように設定されており、装置が外部デバイスである。
【００２５】
上記のシステムは、マイクロコントローラが、マイクロコントローラによって検出されたジェスチャ又はタッチイベントの受信に対して、１組のエレクトロルミネセンス素子をオフにするように制御する。
【００２６】
本開示の態様は、装置及び装置に無線接続された複数の帽子を含むシステムをさらに含んでもよく、複数の帽子の各々は、つばの底部の少なくとも一部を照らすように向けられた１組の発光ダイオード（ＬＥＤ）をつばの下側に配置したつば、装置に帽子を接続するように構成された無線ネットワークインターフェース、及び装置からの無線ネットワークインターフェースを介するメッセージの受信に対して、メッセージに基づいて対応する色、明るさ、又はパターンのうちの少なくとも１つに従って照らすように１組のＬＥＤを制御するマイクロコントローラを含む。そのようなシステムでは、複数の帽子の各々は、他の着用者と対話している着用者が他の着用者のＬＥＤセットを見ることができるように、クラウン（帽子のつばを除いた頭部）の上部にＬＥＤセットを有してもよい。帽子に送信されたメッセージは、所望の実施形態に従って、特定の着用者の状況を提供するために、又は他の目的のために、メッセージに基づいて対応する色、明るさ、又はパターンのうちの少なくとも１つに従って、クラウン上のＬＥＤセットを点灯させることができる。
【００２７】
本開示の態様は、コンピュータに、帽子に備えられた無線ネットワークインターフェースを介してメッセージを受信する手順と、帽子のつばの下側に配置され、つばの底部の少なくとも一部を照らすように向けられた１組のエレクトロルミネセンス素子を、メッセージに基づいて対応する色、明るさ、又はパターンのうちの少なくとも１つに従って照らすように制御する手順と、を実行させるためのプログラムであってもよい。
【００２８】
本開示の態様は、つばの底部の少なくとも一部を照らすように向けられた発光手段をつばの下側に配置したつば、無線送受信手段、及び無線送受信手段を介するメッセージの受信に対して、メッセージに基づいて対応する色、明るさ、又はパターンのうちの少なくとも１つに従って発光するように発光手段を制御する制御手段を備える帽子であってもよい。
【図面の簡単な説明】
【００２９】
【図１】例示的な実施形態による、スマートハット用の例示的なフロー図である。
【図２】例示的な実施形態による、スマートハットと対話するモバイルデバイスの例示的な実施形態を示す図である。
【図３】例示的な実施形態による、スマートハットと対話するモノのインターネット（ＩｏＴ）デバイスの例示的な実施形態を示す図である。
【図４（ａ）】例示的な実施形態によるスマートハットの図である。
【図４（ｂ）】例示的な実施形態によるスマートハットの図である。
【図５（ａ）】例示的な実施形態による、スマートハットのタッチセンサ式領域の例を示す図である。
【図５（ｂ）】例示的な実施形態による、スマートハットのタッチセンサ式領域の例を示す図である。
【図５（ｃ）】例示的な実施形態による、スマートハットのタッチセンサ式領域の例を示す図である。
【図６（ａ）】例示的な実施形態による、周囲への出力様式の例示的な構成を示す図である。
【図６（ｂ）】例示的な実施形態による、周囲への出力様式の例示的な構成を示す図である。
【図７】例示的な実施形態による、静電容量式タッチセンシングの例示的な容易化を示す図である。
【図８（ａ）】例示的な実施形態による、スマートハットの例示的な機能図である。
【図８（ｂ）】例示的な実施形態による、スマートハットの例示的な機能図である。
【図８（ｃ）】例示的な実施形態による、スマートハットの例示的な機能図である。
【図９】例示的な実施形態による、帽子に無線接続することができる外部装置の一例を示す図である。
【発明を実施するための形態】
【００３０】
以下の詳細な説明は、本出願の図及び例示的な実施形態のさらなる詳細を提供する。図の間の重複する要素の参照番号及び説明は、明確にするために省略されている。説明全体にわたって使用される用語は例として提供され、限定するものではない。たとえば、「自動」という用語の使用は、本出願の実施形態を実践する当業者の所望の実施形態に応じて、実施形態のいくつかの態様に対するユーザ又は管理者の制御を含む、全自動又は半自動の実施形態を含んでもよい。選択は、ユーザインターフェース若しくは他の入力手段を介してユーザによって行うことができるか、又は所望のアルゴリズムを介して実施することができる。本明細書に記載される例示的な実施形態は、単独で又は組み合わせて利用することができ、例示的な実施形態の機能は、所望の実施形態に応じて任意の手段を介して実施することができる。
【００３１】
図１は、例示的な実施形態による、スマートハット用の例示的なフロー図を示す。図１に示されたように、スマートハットは、マイクロコントローラ、加速度計、及びタッチセンサ（たとえば、静電容量式タッチセンサ）を利用して、いくつかの機能を容易にすることができる。適用例に応じて、ジェスチャが認識された後に組込み型発光ダイオード（ＬＥＤ）がオン又はオフになりうる。
【００３２】
たとえば、スマートハットは、１０１においてスマートハットのマイクロコントローラに無線でメッセージを送信する外部のデバイス、システム、又はディスプレイと対話する。１０２において、マイクロコントローラは、外部のデバイス、ディスプレイ、又はシステムからメッセージを受信し処理する。１０３において、マイクロコントローラは、受信されたメッセージに関連付けられた対応する色、明るさ、及び／又はパターンに発光ダイオード（ＬＥＤ）を点灯させる。１０４において、マイクロコントローラは、予め定められた時間の経過後にＬＥＤを消灯させる。所望の実施形態に従って、タッチセンサ又は加速度計によって検出されたジェスチャ又はタッチに応答して、マイクロコントローラによってＬＥＤを消灯することもできる。
【００３３】
スマートハットに組み込まれた加速度計に関係する例示的なフローでは、１０５において、加速度計は運動を記録することができ、１０６において、マイクロコントローラは、加速度計からの測定値に基づいてジェスチャを認識するように設定されてもよい。この例示的な実施形態では、マイクロコントローラは、ジェスチャが認識されたことをユーザに警告するために、ユーザに見える（たとえば、つばの下、帽子の前部のクラウンの下などの）ＬＥＤを作動させることができ、その後、フローは１０４に進んで予め定められた時間の経過後にＬＥＤを消灯させる。１０６で認識されたジェスチャと関連して、ジェスチャが外部のデバイス、システム、又はディスプレイとの対話に関する場合、フローは１１０に進むことができる。そのような例示的な実施形態では、マイクロコントローラは、１１０において、対話に関するメッセージを外部のデバイス、システム、又はディスプレイに無線で送信し、その後、外部のデバイス、システム、又はディスプレイは、１１１において、メッセージを受信し、メッセージに対応する更新を行う。
【００３４】
帽子に組み込まれた静電容量式タッチセンサに関係する例示的なフローでは、１０８において、静電容量式タッチセンサはタッチイベントを記録する。１０９において、マイクロコントローラはタッチを分類し、行動方針を決定する。タッチが外部のデバイス、システム、又はディスプレイとの対話に関する場合、フローは１１０及び１１１に進む。そのような対話と関連して、フローはまた、図１に示されたように１０７及び１０４に進む。
【００３５】
本明細書に記載された例示的な実施形態は、１）他の人々に情報を表示することができる周囲ディスプレイ、２）ユーザにコンテンツを表示する別個の周囲ディスプレイ、３）頭部ジェスチャ検知、及び４）タッチ入力検知を提供するように構成された帽子プラットフォームを含む。そのような機能は、所望の実施形態に従って、様々な異なる使用ケースを容易にするために組み合わされてもよい。
【００３６】
本明細書に記載された例示的な実施形態では、スマートハットは、他の人々に見える帽子装着型周囲ビジュアルディスプレイで構成される。帽子は、２つの理由からウェアラブルディスプレイに予想外に有用な基材を提供する。１）帽子の大部分は着用者には全く見えず、他の人にしか見えない、２）帽子のごく一部（たとえば、つばの下側）は着用者の周辺視野内に常に見えている。帽子のそのような予想外の利点に鑑みて、第１の態様は、他の人に見える帽子装着型周囲ビジュアルディスプレイを容易にするために利用されてもよい。従来技術の実施形態は個人的表現の形態として帽子装着型外向きディスプレイを含んでいたが、本開示では、ＬＥＤは見物人に情報（たとえば、割込可能性）を伝達するためにクラウンに取り付けられている。情報は、所望の実施形態に従って、ＬＥＤの色、明るさ、及び点滅パターンを変調することによって伝達することができる。さらに、帽子は、意図的に周囲に見せる忠実度の低いディスプレイを容易にするように構成される。
【００３７】
第２の態様では、帽子のごく一部が着用者の周辺視野内に常に見えているという点で、帽子装着型周囲ビジュアルディスプレイは着用者自身に見える。例示的な実施形態では、つばの下側に２組のＬＥＤが装備されている。そのような例示的な実施形態では、第１のセットは、図６（ａ）及び図６（ｂ）に示されたようにＬＥＤからの光が全面に投射されるように、つばの側面に配置され、つばの中央に向かって傾斜している。そのようなＬＥＤは、所望の実施形態に応じて、且つ図２及び図３に示されたように、周囲通知を着用者に提供することができ、たとえば、無線接続された電話に新しいテキストメッセージが届いたことを示すために青色に点灯し、無線接続されたサーモスタットが予め定められたしきい値を上回ったことを示すために赤色で点滅する。ＬＥＤの第２のセットは、つばの前面に外側を向いて配置することができる。そのようなＬＥＤは、周囲通知のためだけでなく、ヘッドマウント懐中電灯としても使用することができる。つばの下側を照らすのではなく、これらのＬＥＤは、ユーザの正面で自分のワークステーションに光を投射する。ＬＥＤのどちらのセットも、ＬＥＤの色、明るさ、及び点滅パターンを変調することにより、様々なタイプの情報を伝達する。加えて、帽子の前面にあるＬＥＤは、パルス幅変調を使用してこれらの外部デバイスにユーザ識別情報を伝達する。
【００３８】
図２は、例示的な実施形態による、スマートハットと対話するモバイルデバイスの例示的な実施形態を示す。例示的な実施形態では、モバイルデバイス２００とスマートハット２０１は互いに無線接続されている。例示的な対話では、接続されたモバイルデバイス２００上で受信された新しいメッセージは、スマートハット２０１上の周囲ＬＥＤ通知をトリガすることができ、それは、図２に示されたように、新しいテキストメッセージが受信されたことを示すために予め定められた色（たとえば青）で点灯することができる
【００３９】
図３は、例示的な実施形態による、スマートハットと対話するモノのインターネット（ＩｏＴ）デバイスの例示的な実施形態を示す。この例示的な実施形態では、ＩｏＴデバイスはサーモスタット３００の形態であるが、所望の実施形態に従って任意のＩｏＴデバイスが利用されてもよい。図３に示された例示的な実施形態では、無線接続されたサーモスタットトリガ３００によって測定された上昇温度は、スマートハット２０１上の周囲ＬＥＤ通知をトリガし、それは、図３に示された以前設定されたしきい値を温度が超えたことを示すために、予め定められた色（たとえば赤）で点灯することができる。
【００４０】
例示的な実施形態では、スマートハットは、頭の動き及びジェスチャを検出するためのセンサを備えている。頭は体の表情豊かな部分であるため、帽子はジェスチャ検知のためのユニークな場所を提供する。多くの文化では、人々は承認又はその反対を表明するために、うなずいたり頭を振ったりする場合がある。頭の向きも関心のある物を示すだけでなく、大まかな注意の尺度として機能することができる。いくつかの従来技術の頭部装着型デバイスは、頭の動き及びジェスチャを検出することが可能だが、そのような検知は帽子のフォームファクタに組み込まれていない。例示的な実施形態で提示されたデバイスは、図４に示されたように、頭を振る、頭をうなずく、及び特定の方向を見るなどの頭の動き及びジェスチャを検出するための加速度計を含む。さらに、そのような動き及びジェスチャは、内部的に使用されるのではなく、外部のディスプレイ及びデバイスに伝達される。
【００４１】
本明細書に記載された別の例示的な実施形態では、スマートハットはタッチ入力デバイスとして利用されてもよい。頭の動きに対するジェスチャ検出を実施することに加えて、たとえば、図５に示されたように、クラウンの左側及び右側に静電容量型タッチセンシングが実施されてもよい。帽子のそのような部分は、タップ、（タッチがある時間の間保持される）プレス、及び４方向（上、下、左、右）へのスワイプを検出することが可能である。キャップの上にあるボタンも同様にタッチセンサ式であり、タップ及びプレスを検出するために利用されてもよい。さらなる入力の形態として、加速度計は、頭から持ち上げる、頭に載せる、つばを叩くなどの帽子を使ったジェスチャを検出することも可能である。
【００４２】
別の例示的な実施形態では、着用者の頭は、タッチ入力面として利用されてもよい。例示的な実施形態は帽子の表面上のタッチ及びジェスチャを検出するが、これらのジェスチャの多くは直接帽子の表面上で実行され、帽子とともに実施された手袋又は他のウェアラブルデバイスを使用して検出され得る。したがって、例示的な実施形態では、頭の表面上のタップ、プレス、及び４方向（左、右、上、下）へのスワイプを検出するように構成されたスマートハットと連携して動作するスマートグローブ又は他のウェアラブルデバイスが存在してもよい。
【００４３】
別の例示的な実施形態では、帽子は外部のディスプレイ及びデバイス用のリモートコントローラとして利用される。そのような機能は、組込み型無線接続を介して容易にされる。自己完結型ではなく、頭の動き、ジェスチャ、及びタッチの対話は、無線プロトコル（たとえば、Ｂｌｕｅｔｏｏｔｈ（登録商標）、ＮＦＣ、超音波など）を使用して伝達することができる。そのような実施形態では、帽子は、外部ディスプレイ、モバイルデバイス、及びＩｏＴデバイスを含むいくつかのシステム用のリモートコントローラとして使用されてもよい。さらに、ＬＥＤは、無線通信、たとえば、様々なイベント／メッセージを着用者に通知すること、又は外部ディスプレイ用の追加の出力として機能することを介して制御することができる。そのような実施形態は、いくつかの用途を容易にすることができ、その例が以下に記載される。
【００４４】
例示的な実施形態では、スマートハットは、部屋の中の他のスマートデバイスと対話し、デバイス制御として動作するように構成される。より多くのスマートデバイスがより多くの建物に設置されるにつれて、ユーザが簡単なツールにアクセスしてそれらを制御する必要がある。スマートハットのセンサ及び入力／出力（Ｉ／Ｏ）機能はそのような制御を提供することができる。たとえば、スマートハットは、ユーザが遠くの壁のサーモスタットを単に見て、帽子の対話型面の１つに沿ってスワイプすることにより、その温度設定を変更することを容易にすることができる。対話中の帽子のＬＥＤ通知システムに対する変化（たとえば、赤から青へ、暗から明へ）は、ポジティブなリアルタイムのフィードバックをユーザに提供することができる。スマートハットは、所望の実施形態に従って、バイナリ（たとえば、オン若しくはオフ）又はより微細な制御（たとえば、量、明るさ、若しくは温度）をサポートする。
【００４５】
たとえば、着用者が部屋の照明（たとえば、ランプ、投光照明など）と無線接続しているスマートハットを有すると仮定する。着用者は、帽子の片側でジェスチャ（たとえば、タップジェスチャ、スワイプジェスチャ）を行って、ライトを点灯させることができる。所望の実施形態に応じて、加速度計の読取り値は、帽子の向き（たとえば、つばの方向は点灯又は消灯されるべきライトを示す）に基づいて、帽子が室内のどのライトを向いているかを判定するために利用されてもよい。さらに、スマートハットは、同時に複数のＩｏＴデバイスに接続されてもよい。例示的な実施形態では、着用者はまた、帽子がサーモスタットに接続されているときに帽子の別の側でジェスチャを行って温度を上げ下げすることにより、部屋の温度を調整することができる。
【００４６】
別の例示的な実施形態では、スマートハットは、パーソナルデバイスのジェスチャ制御を容易にすることができる。人々は、ますます多くのインターネットに接続されたパーソナルデバイスを携帯し、それらと対話する。スマートハットは、これらのデバイスと対話するための追加の「ハンズフリー」方法を提供しうる。たとえば、スマートハットは、料理人が自分が聴いている音楽を一時停止し、自分のスマートフォンで会話を行い、次いで準備中の食品を汚染することなく自分の音楽の傾聴を再開することを可能にすることができる。同様に、自動車整備士は、自分の汚れた手袋を外さずに自分のスマートウォッチから警告を消すことができる。芸術家は、タブレットＯＳによって警告が表示されたときに、タブレットコンピュータ上で描画している可能性がある。スケッチを途中で止めるのではなく、芸術家は、単に頭をうなずくか又は他の頭のジェスチャ（たとえば、振る、回す）を行って警告を消し、次いで中断することなく作業を続けることができる。たとえば、スマートハットの着用者が別の活動で忙しく、電話が鳴り始めたと仮定する。着用者が自分の手でモバイルデバイスと自由に対話することができない場合、着用者は、自分の頭でうなずくジェスチャを行って電話に答え、次いで頭を振って電話を切ることができる。ジェスチャは、所望の実施形態に従って変更され実施されてもよい。
【００４７】
別の例示的な実施形態では、スマートハットは公共ディスプレイの遠隔制御を容易にすることができる。インターネットに接続されたパーソナルデバイスの台頭は、対話型公共ディスプレイの台頭とよく似ている。これらのディスプレイは、モール、美術館、及び他の公共スペースにますます備えられている。これらのディスプレイの多くは、現在、タッチ対話、空中ジェスチャ、又はモバイルデバイスを介する対話を利用するが、接続されたウェアラブルは、公共ディスプレイとの対話をより自然で社会的に受け入れ可能なものにすることができる。潜在的に汚れた公共ディスプレイに触れたり、人目を引く空中ジェスチャを行ったり、自分のモバイルデバイスを取り出すのを止めるのではなく、見物人は、自分の帽子を使用して素早く慎重にディスプレイに関与することができる。たとえば、着用者が３６０度ディスプレイに近づくと仮定する。着用者は、帽子を回転させてそれぞれの方向にディスプレイをパンすることができる。着用者はまた、つばを上向きに持ち上げてズームインし、つばを下向きに引っ張ってズームアウトすることもできる。さらに、クラウンの外側にあるＬＥＤは、所望の実施形態に応じて、着用者がいくつのディスプレイを訪れたかを知らせるために点灯されてもよい。
【００４８】
例示的な実施形態では、スマートハットは、周囲通知及び周辺通知を容易にすることができる。ほとんどすべてのウェアラブルデバイス及びモバイルデバイスはユーザ通知をもたらすが、これらの通知は、ユーザに警告するために振動、音、又は気を散らすような点滅を使用して、しばしば邪魔になる。したがって、これらの通知は、ユーザが目の前のタスクに集中し続ける必要がある多くの状況にはあまり適していない可能性がある。さらに、工場又は騒々しいコンサートなどのいくつかの状況は、これらのタイプの通知を無効にする。スマートハットは、ユーザの周辺視野内で周囲通知を配信することが可能であり、気を散らさずに自分の作業を継続することを可能にし、騒がしい環境内でも有効である。スマート手術帽は、視線をそらすことなく、患者の生体認証を外科医に知らせることができる。スマート自転車ヘルメットは、道路から気をそらすことなく、近づきつつある迂回路をサイクリストに知らせることができる。コンサートの来場者は、自分のスマートハットで文字による警告を受け取ることができるが、ベースの振動の中では自分の携帯電話の振動を感じることができない。
【００４９】
例示的な実施形態では、工場内の作業員は、電子機器を組み立てており、スマートハットデバイスを着用している。彼らのワークステーションは、彼らの作業を監視するための大型ディスプレイ及びカメラ認識システムを有する。カメラシステムは、作業員が特に扱いにくいハードウェアを組み立て始めたことを認識する。ディスプレイは、特にこのタスクに該当する図を見せるように更新する。作業員は、更新されたディスプレイに気付いたようには見えないので、システムは、スマートハットにメッセージを送信し、スマートハットは周囲のつばの下のディスプレイをオンにする。作業員は自分の周辺視野内の周囲ディスプレイに気付き、更新された図をちらっと見る。それらが終了すると、ユーザは素早く頭を振って、つばの下のディスプレイをオフにする。
【００５０】
スマートハットの例示的な実施形態では、スマートハットは、すべてが帽子に組み込まれたマイクロコントローラに配線された、組込み型ＬＥＤ、加速度計、電源（たとえば、バッテリ）、及び静電容量式タッチセンシングを容易にする電子機器を含んでもよい。マイクロコントローラは、リモート基地局（たとえば、電話、コンピュータ、又は他のデバイス）と（Ｂｌｕｅｔｏｏｔｈ（登録商標）、超音波、又は他のプロトコルを介して）無線で通信することができる。図４（ａ）及び図４（ｂ）は、例示的な実施形態によるスマートハットの図を示す。示された構成要素に加えて、帽子はまた、マイクロコントローラ、無線通信機能、バッテリ、及び静電容量式タッチセンシングを可能にする電子機器を含む。図示されていないが本明細書に記載されている構成要素は、所望の実施形態に応じて、汗止めバンドに縫い込まれるか、又はつばに封入されてもよい。
【００５１】
スマートハットの例示的な構成では、加速度計はキャップのつばに組み込まれる。他の電子機器は、汗止めバンドに縫い込まれるか、又はつばに組み込まれる。本明細書に記載された説明及び画像は野球帽を描写しているが、例示的な実施形態は、安全帽、手術帽、ヘルメット、日よけ帽などを含む他のタイプの帽子にも実施されてもよい。ウェアラブルデバイスはまた、２つのビジュアルディスプレイを含んでもよい。１つは着用者が見るように構成されたつばの下側にあり、もう１つは他の人によって見られるように構成されたキャップのクラウンにある。そのようなビジュアルディスプレイは、所望の実施形態に従って、任意の数の色、パターン、及び強度を表示するように構成された組込み型赤緑青（ＲＧＢ）ＬＥＤを含んでもよい。
【００５２】
図５（ａ）から図５（ｃ）は、例示的な実施形態による、スマートハットのタッチセンサ式領域の例を示す。図５（ａ）から図５（ｃ）に示されたように、網掛け領域は、タッチセンサ式であり得るクラウンの領域を示し、図５（ａ）から図５（ｃ）は異なる斜視図を示す。図５（ａ）から図５（ｃ）の例では、クラウンの左側及び右側は、タップ、（たとえば、ある時間期間の間タッチが保持される）プレス、及び（たとえば、４方向、上、下、左、右への）スワイプを検出するように構成される。しかしながら、他の実施形態も可能であり、本開示はそれに限定されない。たとえば、タッチセンサ式領域は、所望の実施形態に従って、描画形状（たとえば、円形、三角形、正方形、チェックマーク、文字など）などのより複雑なジェスチャを検出するために利用されてもよい。キャップの上にあるボタンは、タップ及びプレスを検出するように構成される。帽子のこれらの領域は、静電容量式タッチセンシングを容易にするために布及び糸などの導電性材料を使用する。加速度計は、頭を振る、頭をうなずく、及び特定の方向を見るなどの、頭の動き及びジェスチャを検出することが可能である。それはまた、所望の実施形態に従って、頭から持ち上げる、頭に載せる、及びつばを叩くなどの、帽子を使ったジェスチャを検出することも可能である。
【００５３】
図６（ａ）及び図６（ｂ）は、例示的な実施形態による、周囲出力様式の例示的な構成を示す。例示的な構成では、つばの下側に２組のＬＥＤが存在してもよい。第１のセットは、それらが図６（ａ）に示されたようにつばの下側全体に光を投射するように角度を付けることができる。第２のセットは、つばの前面に配置され、図６（ｂ）に示されたように帽子の前の光を着用者の作業空間に投射することができる。本明細書に示された例示的な実施形態は、つばの上側に組み込まれた４つのＲＧＢ  ＬＥＤを有する野球帽を含む構成を示すが、他の帽子の形態も利用することができ、所望の実施形態に従って、任意の数のＲＧＢ  ＬＥＤが利用されてもよい。
【００５４】
図７は、例示的な実施形態による、静電容量式タッチセンシングの例示的な容易化を示す。図７に示されたように、帽子のクラウンの少なくとも一部は、その中に織り込まれた導電性布の複数の水平ストリップ及び垂直ストリップを含む。図７の網掛け部分によって示されたように、導電性布の水平ストリップと垂直ストリップの両方の抵抗における同時変化を検出することにより、マイクロコントローラ（ＭＣ）は、タッチの位置を正確に示し、所望の実施形態に従って、前方、後方、上方、及び下方へのスワイプなどの複雑なジェスチャを特徴付けることができる。
【００５５】
スマートハットのＬＥＤは、組込み型ＭＣに直接配線され、ＭＣのデジタル出力を介して制御されてもよい。所望の実施形態に応じて、そのようなワイヤは隠してつばに縫い込むことができる。ＭＣは同様に、所望の実施形態に応じて、キャップの汗止めバンドに縫い込むことができる。スマートハットはまた、本明細書に示されたように、キャップのクラウンに縫い込まれたＬＥＤを含む。
【００５６】
本明細書に記載された例示的な実施形態は、ハードウェアシリアルペリフェラルインターフェース（ＳＰＩ）などのネットワークインターフェースを介して、ＭＣを外部のデバイス／ディスプレイ及び装置に接続して対話するために無線接続を利用するが、一方でスマートハット内の要素とは配線で接続されている。例示的な構成では、加速度計はキャップのつばに組み込まれ、Ｉ２Ｃなどのバスを使用してマイクロコントローラに接続される。ジェスチャ認識装置は、例示的な実施形態に従って、マイクロコントローラ、接続されたモバイルデバイス、外部ディスプレイ、ＩｏＴデバイス、又はハードウェア処理能力を有する任意の他のデバイスによって容易にされる。例示的な実施形態におけるバッテリは、容易なアクセスのためにキャップの汗止めバンドに縫い込まれた充電式リチウムイオン電池の形態であってもよい。クラウンの一番上のボタンは導電性布で作られ、ＭＣに直接接続されており、ＭＣは、ボタンがいつタッチされたかを検出するためにボタンにかかる抵抗を測定する。クラウンの左側及び右側は、各々、図７に示されたように互いに組み合わされた導電性布のストリップから作られた格子を含む。各ストリップはＭＣに直接接続され、ＭＣはストリップにかかる抵抗を測定する。導電性布の水平ストリップと垂直ストリップの両方の抵抗における同時変化を検出することにより、ＭＣはタッチの位置を正確に示し、前方、後方、上方、及び下方へのスワイプなどの複雑なジェスチャを特徴付けることができる。
【００５７】
図８（ａ）から図８（ｃ）は、例示的な実施形態による、スマートハットの例示的な機能図を示す。図８（ａ）の図に示されたように、且つ本開示に記載されたように、帽子８００は、マイクロコントローラ（ＭＣ）８０１、メモリ８０２、無線ネットワークインターフェース８０３、１又は複数のＬＥＤセット８０４、加速度計８０５、バッテリ８０６、及び導電性布８０７を含んでもよい。ＭＣは、本明細書の機能を容易にするように構成された任意のハードウェアプロセッサ又は専用プログラマブルチップの形態であってもよい。メモリ８０２は、帽子８００と外部デバイス若しくは他の帽子との間でメッセージを送受信するためのキャッシュとして利用されてもよく、同じ機能を容易にするためにＭＣ８０１と併合されてもよい。メッセージは、無線ネットワークインターフェース８０３を介して外部デバイス又は他の帽子に送信されてもよい。
【００５８】
図８（ｂ）は、例示的な実施形態による、上側から見た帽子の斜視図を示す。帽子はボタン８１０、クラウン８１１、及びつば８１２を含んでもよい。図８（ｃ）は、下側から見た同じ帽子を示し、帽子の下側にクラウンの裏地８１４が配置されていてもよく、それはまた、本明細書に記載されたタッチイベントを検出するように構成される導電性布８０７を含んでもよい。
【００５９】
例示的な実施形態では、図６（ａ）に示されたように、つばの底部の少なくとも一部を照らすように向けられた１組の発光ダイオード（ＬＥＤ）８０４をつばの下側に配置したつば８１２、無線ネットワークインターフェース８０３、並びに図１及び図６（ａ）に示されたように、無線ネットワークインターフェース８０３を介する（たとえば、メモリ８０２に記憶される）メッセージの受信に対して、メッセージに基づいて対応する色、明るさ、又はパターンのうちの少なくとも１つに従って照らすように１組のＬＥＤ８０４を制御するＭＣ８０１を含む、帽子８００であってもよい。
【００６０】
例示的な実施形態では、帽子８００は、運動を測定するように構成された加速度計８０５をさらに含んでもよい。ＭＣ８０１は、図１及び図４（ａ）に示されたように、加速度計８０５の運動の測定値からのジェスチャの認識に対して、ジェスチャに基づいて対応する色、明るさ、又はパターンのうちの少なくとも１つをオンにするように１組のＬＥＤを制御するように設定される。加速度計８０５は、図４（ａ）に示されたようにつば８１２の上部に、又は所望の実施形態に応じて他の場所に配置されてもよい。
【００６１】
図１、図５（ａ）から図５（ｃ）、及び図７に示されたように、帽子８００は、タッチイベントを記録するように構成された、帽子８００のクラウン８１１の一部に織り込まれた導電性布８０７の形態のタッチセンサをさらに含んでもよい。ＭＣ８０１は、外部デバイスに向けられたコマンドとしてのタッチイベントの分類に対して、無線ネットワークインターフェース８０３を介して外部デバイスにメッセージを送信するように設定される。図７に示されたように、導電性布８０７は、格子状に組み合わされた複数の水平ストリップ及び垂直ストリップとして帽子のクラウンの一部に織り込まれてもよい。マイクロコントローラ８０１は、複数の水平ストリップ及び複数の垂直ストリップのうちの少なくとも１つからの応答に基づいてタッチイベントの位置を検出し、応答に基づいてジェスチャを認識するように設定される。しかしながら、本開示はそれに限定されず、所望の実施形態を容易にするために、織り込まれた導電性布の代わりに他の導電性材料が利用されてもよい。たとえば、安全帽などの硬い表面を有する帽子の場合、タッチセンサは、所望の実施形態に従って帽子のクラウンの一部に取り付けられた（たとえば、接着され、機械的に固定され、接合された）導電性材料の形態であってもよい。
【００６２】
図６（ｂ）に示されたように、つば８１２は、帽子８００の前に光を投射するように向けられた別の１組のＬＥＤ８０４を含んでもよく、ＭＣ８０１は、図６（ｂ）及び図１に示されたように、別の１組のＬＥＤ８０４に対応する無線ネットワークインターフェース８０３を介するメッセージの受信に対して、別の１組のＬＥＤ８０４に対応するメッセージに基づいて、対応する色、明るさ、又はパターンのうちの少なくとも１つに従って照らすように１組のＬＥＤ８０４を制御する。
【００６３】
例示的な実施形態では、クラウン８１１の上部に配置されたボタン８１０は、導電性布８０７から作られ、図１及び図５（ａ）から図５（ｃ）に示されたように、ボタン８１０で行われたタップ又はプレスのタッチイベントとしてＭＣ８０１が検出できる入力を容易にするように構成されてもよい。
【００６４】
例示的な実施形態では、帽子８００はまた、図４（ａ）に示されたようにクラウン８１１の一部の頂部に配置された別の１組のＬＥＤ８０４を含んでもよく、ＭＣ８０１は、図１に示されたように、（たとえば、帽子に向けられた）コマンドに基づいて対応する色、明るさ、又はパターンのうちの少なくとも１つに従って照らすように別の１組のＬＥＤ８０４を制御する。
【００６５】
例示的な実施形態では、メッセージは、図２及び図３に示されたように、無線ネットワークインターフェース８０３によって帽子８００に接続された外部デバイスから受信される。ＭＣ８０１は、図１に示されたように、帽子８００で行われたタッチイベントに基づいて、無線ネットワークインターフェース８０３によって外部デバイスにメッセージを送信するように設定される。
【００６６】
所望の実施形態に応じて、ＭＣ８０１は、本明細書に記載され、図１に示されたように、ＭＣ８０１によって検出された、（たとえば、メッセージの受信又は他のイベントに応答して）ＬＥＤ８０４をオフにすることに関するジェスチャの受信に対して、１組のＬＥＤ８０４をオフにするように制御してもよい。
【００６７】
図９は、例示的な実施形態による、帽子８００に無線接続することができる外部装置９００の一例を示す。装置９００は、ハードウェア中央処理装置（ＣＰＵ）又はハードウェアプロセッサとソフトウェアプロセッサとの何らかの組合せの形態であってもよいプロセッサ９０１、メモリ９０２、無線ネットワークインターフェース９０３、及び所望によりディスプレイ９０４を用いて構成されてもよい。外部装置９００は、所望の実施形態に従って、携帯電話、ラップトップなどのユーザデバイスの形態であってもよく、外部サーバ、制御システム、外部ディスプレイ、キオスク、又は他の外部装置であってもよい。プロセッサ９０１は、無線ネットワークインターフェース９０３を介して帽子８００とメッセージを送受信するように構成されてもよい。メッセージは実行可能コマンドの形式であってもよく、それは、所望の実施形態に従って、クラウンの上部、つばの下側の１組のＬＥＤ、又は帽子の前に照明を提供するように構成された１組のＬＥＤなどの、帽子８００の特定の１組のＬＥＤを点灯させることに関連付けられてもよい。プロセッサ９０１はまた、本開示に記載されたように、装置９００及び所望の実施形態に応じて、無線ネットワークインターフェースを介して帽子８００からコマンドを受信し、コマンドを実行することができる。
【００６８】
さらに、本明細書に記載された例示的な実施形態はＬＥＤの実施形態に関するが、本明細書に記載された例示的な実施形態に従って、所望の実施形態を容易にするために、ＬＥＤの代わりに任意の他のエレクトロルミネセンス素子（たとえば、ライトパネル、照明ワイヤ、導波管など）が利用されてもよい。ＬＥＤのセットは、所望の実施形態を達成するために任意の他のエレクトロルミネセンス素子のセットに置き換えられてもよい。他の要素も、所望の実施形態に従って同じ機能を容易にするために置き換えられてもよい。たとえば、加速度計も、所望の実施形態に応じて、ジャイロスコープ、磁力計、運動センサなどを含む、運動を検知するように構成された他のセンサと置き換えられてもよい。
【００６９】
さらに、ジェスチャ（たとえば、頭のジェスチャ、タッチジェスチャ）及びタッチイベントは、所望の実施形態に応じて、任意の方式で帽子に向けられるか又は外部デバイスに向けられたコマンドに関連付けられるように構成されてもよい。たとえば、センサの運動測定値からのジェスチャは、帽子に向けられたコマンド（たとえば、ジェスチャに基づいて対応する色、明るさ、又はパターンのうちの少なくとも１つでオンするように１組のエレクトロルミネセンス素子を制御するコマンド）として、又は（たとえば、無線ネットワークインターフェースを介して外部デバイスにメッセージを送信する）外部デバイスへのコマンドとして解釈されてもよい。タッチイベントも同様に関連付けられてもよく、帽子は、所望の実施形態に応じて、タッチイベントに応答して同様の機能を実行するように構成されてもよい。
【００７０】
発明を実施するための形態のいくつかの部分は、コンピュータ内の動作のアルゴリズム及び象徴的表現の観点で提示される。これらのアルゴリズム的記述及び象徴的表現は、自分のイノベーションの本質を他の当業者に伝達するために、データ処理技術分野の当業者によって使用される手段である。アルゴリズムは、所望の最終状態又は最終結果に導く、一連の定義された工程である。例示的な実施形態では、実行される工程は、目に見える結果を達成するための具体的な数の物理操作を必要とする。
【００７１】
特に断りのない限り、説明から明らかなように、説明全体を通して、「処理」、「計算」、「算出」、「決定」、「表示」、などの用語を利用する説明は、コンピュータシステムのレジスタ及びメモリ内の物理（電気）量として表されるデータを操作し、コンピュータシステムのメモリ又はレジスタ又は他の情報を記憶、伝送、若しくは表示するデバイス内の物理量として同様に表される他のデータに変換する、コンピュータシステム又は他の情報処理デバイスの動作及び処理を含んでもよいことを諒解されたい。
【００７２】
例示的な実施形態は、本明細書の動作を実行するための装置に関してもよい。この装置は、必要な目的のために特別に構築されてもよく、１若しくは複数のコンピュータプログラムによって選択的にアクティブ化若しくは再構成された、１若しくは複数の汎用コンピュータを含んでもよい。そのようなコンピュータプログラムは、コンピュータ可読記憶媒体又はコンピュータ可読信号媒体などのコンピュータ可読媒体に記憶されてもよい。コンピュータ可読記憶媒体には、限定はしないが、光ディスク、磁気ディスク、読取り専用メモリ、ランダムアクセスメモリ、半導体デバイス及び半導体ドライブ、又は、電子情報を記憶することに適した任意の他のタイプの有形若しくは非一時的媒体などの、有形媒体が含まれてもよい。コンピュータ可読信号媒体には、搬送波などの媒体が含まれてもよい。本明細書に提示されたアルゴリズム及びディスプレイは、本質的に、いかなる特定のコンピュータ又は他の装置にも関係しない。コンピュータプログラムは、所望の実施形態の動作を実行する命令を含む、純粋なソフトウェア実施形態を含んでもよい。
【００７３】
様々な汎用システムは、本明細書の例によるプログラム及びモジュールとともに使用されてもよく、又は所望の方法工程を実行するためにより専門化された装置を構築することが便利でありうる。加えて、例示的な実施形態は、いかなる特定のプログラミング言語をも参照して記載されたものではない。様々なプログラミング言語は、本明細書に記載された例示的な実施形態の教示を実施するために使用されうることが諒解されるであろう。プログラミング言語の命令は、１又は複数の処理デバイス、たとえば、中央処理装置（ＣＰＵ）、プロセッサ、又はコントローラによって実行されてもよい。
【００７４】
当技術分野で知られているように、上述された動作は、ハードウェア、ソフトウェア、又はソフトウェアとハードウェアとの何らかの組合せによって実行されてもよい。例示的な実施形態の様々な態様は、回路及び論理デバイス（ハードウェア）を使用して実施されてもよいが、他の態様は、機械可読媒体に記憶された命令（ソフトウェア）を使用して実施されてもよく、命令は、プロセッサによって実行されると、方法を実行して本出願の実施形態を遂行することをプロセッサに行わせる。さらに、本出願のいくつかの例示的な実施形態は、ハードウェアでのみ実行されてもよいが、他の例示的な実施形態は、ソフトウェアでのみ実行されてもよい。さらに、記載された様々な機能は、単一のユニット内で実行することができ、又は任意の数の方法でいくつかの構成要素にわたって展開することができる。ソフトウェアによって実行されるとき、方法は、コンピュータ可読媒体に記憶された命令に基づいて、汎用コンピュータなどのプロセッサによって実行されてもよい。必要な場合、命令は、圧縮及び／又は暗号化されたフォーマットで媒体に記憶することができる。
【００７５】
さらに、本出願の明細書の考察及び教示の実践から、本出願の他の実施形態が当業者には明らかであろう。記載された例示的な実施形態の様々な態様及び／又は構成要素は、単独で、又は任意の組合せで使用されてもよい。明細書及び例示的な実施形態は例としてのみ見なされるものであり、本出願の真の範囲及び趣旨は、以下の特許請求の範囲によって示される。
【図１】
2020057371.tif 000003
【図２】
2020057371.tif 000004
【図３】
2020057371.tif 000005
【図４（ａ）】
2020057371.tif 000006
【図４（ｂ）】
2020057371.tif 000007
【図５（ａ）】
2020057371.tif 000008
【図５（ｂ）】
2020057371.tif 000009
【図５（ｃ）】
2020057371.tif 000010
【図６（ａ）】
2020057371.tif 000011
【図６（ｂ）】
2020057371.tif 000012
【図７】
2020057371.tif 000013
【図８（ａ）】
2020057371.tif 000014
【図８（ｂ）】
2020057371.tif 000015
【図８（ｃ）】
2020057371.tif 000016
【図９】
2020057371.tif 000017